(57)【要約】【課題】動画像における時系列的な変化態様に応じた動画効果を演出することが可能な画像処理装置、電子カメラ、及び画像処理プログラムを提供する。【解決手段】第１の動画像に対して第２の動画像を重畳して表示可能に構成された画像処理装置において、前記第１の動画像における時系列的な変化態様を解析した解析情報を取得する取得手段と、前記取得手段によって取得された前記解析情報に応じて表示態様を変化させる動画像を前記第２の動画像として生成する動画像生成手段とを備える。【選択図】図３
2012138763.tif 000002
【特許請求の範囲】
【請求項１】
第１の動画像に対して第２の動画像を重畳して表示可能に構成された画像処理装置において、
前記第１の動画像における時系列的な変化態様を解析した解析情報を取得する取得手段と、
前記取得手段によって取得された前記解析情報に応じて表示態様を変化させる動画像を前記第２の動画像として生成する動画像生成手段と
を備えた画像処理装置。
【請求項２】
前記第１の動画像の動画像データを記憶する記憶手段をさらに有し、
前記取得手段は、
前記記憶手段に記憶された前記第１の動画像の動画像データに基づいて当該第１の動画像の前記変化態様を解析して前記解析情報を取得する
請求項１に記載の画像処理装置。
【請求項３】
前記解析情報が前記第１の動画像に関する複数の情報で構成され、
前記解析情報の中から少なくとも１つの情報を選択する選択手段をさらに有し、
前記動画像生成手段は、
前記選択手段が選択した情報に応じた表示態様の動画像を前記第２の動画像として生成する
請求項１または２に記載の画像処理装置。
【請求項４】
前記複数の情報に優先度を設定する優先度設定手段をさらに有し、
前記選択手段は、前記優先度設定手段で設定された優先度に基づいて前記少なくとも１つの情報を選択する
請求項３に記載の画像処理装置。
【請求項５】
前記解析情報は、前記第１の動画像における特徴部の位置情報を含み、
前記動画像生成手段は、前記位置情報に基づいて前記特徴部を追尾させた表示態様の動画像を前記第２の動画像として生成する
請求項１〜４のうち何れか一項に記載の画像処理装置。
【請求項６】
前記解析情報は、
前記第１の動画像の撮影シーンを判定した撮影シーン判定情報と、
当該第１の動画像における特徴部の位置情報と
を含み、
前記動画像生成手段は、前記撮影シーン判定情報と前記位置情報とに応じた表示態様の動画像を前記第２の動画像として生成する
請求項１〜４のうち何れか一項に記載の画像処理装置。
【請求項７】
前記解析情報は、前記第１の動画像の撮像開始日時と動画記録時間とを関連付けた時間情報を含み、
前記動画像生成手段は、前記時間情報に応じて表示のタイミングが設定された表示態様の動画像を前記第２の動画像として生成する
請求項１〜４のうち何れか一項に記載の画像処理装置。
【請求項８】
前記解析情報は、前記第１の動画像を構成する各フレームのフォーカス位置を示したフォーカス位置情報を含み、
前記動画像生成手段は、前記フォーカス位置情報に基づいて前記フォーカス位置を追尾
させた表示態様の動画像を前記第２の動画像として生成する
請求項１〜４のうち何れか一項に記載の画像処理装置。
【請求項９】
前記解析情報は、前記第１の動画像における人物の動作に関する情報である動作情報を含み、
前記動画像生成手段は、前記動作情報に応じた表示態様の動画像を前記第２の動画像として生成する
請求項１〜４のうち何れか一項に記載の画像処理装置。
【請求項１０】
前記解析情報は、前記第１の動画像を撮像した撮像手段の傾きに関する情報である傾斜情報を含み、
前記動画像生成手段は、前記傾斜情報に応じた表示態様の動画像を前記第２の動画像として生成する
請求項１〜４のうち何れか一項に記載の画像処理装置。
【請求項１１】
前記解析情報は、前記第１の動画像における音声に関する音声情報を含み、
前記動画像生成手段は、前記音声情報に応じて表示のタイミングが設定された表示態様の動画像を前記第２の動画像として生成する
請求項１〜４のうち何れか一項に記載の画像処理装置。
【請求項１２】
第１の動画像を撮像可能な撮像手段と、
請求項１〜請求項１１のうち何れか一項に記載の画像処理装置と
を備えた電子カメラ。
【請求項１３】
第１の動画像に対して第２の動画像を重畳して表示可能に構成された画像処理装置に用いられる画像処理プログラムにおいて、
前記画像処理装置に、
前記第１の動画像における時系列的な変化態様を解析した解析情報を取得させる取得ステップと、
前記取得ステップにおいて取得された前記解析情報に応じて表示態様を変化させる動画像を前記第２の動画像として生成させる動画像生成ステップと
を実行させることを特徴とする画像処理プログラム。
【発明の詳細な説明】
【技術分野】
【０００１】
本発明は、第１の動画像に対して、該第１の動画像とは異なる第２の動画像を重畳させて表示可能な画像処理装置、該画像処理装置を備えた電子カメラ、及び画像処理プログラムに関する。
【背景技術】
【０００２】
従来、デジタルスチルカメラなどの電子カメラで撮影した撮像画像にエフェクト処理を施すことが知られている（例えば、特許文献１参照）。この特許文献１に記載の電子カメラでは、撮影した人物の表情を検出した後、検出した情報に応じた特定のグラフィック画像を撮像画像上に合成するエフェクト処理を実行可能となっている。
【先行技術文献】
【特許文献】
【０００３】
【特許文献１】特開２００８−８４２１３号公報
【発明の概要】
【発明が解決しようとする課題】
【０００４】
ところで、近年では、エフェクト処理として、撮像した第１の動画像に第２の動画像を重畳して表示させることにより、第１の動画像に対して動画効果を演出する技術が提案されている。しかしながら、従来の電子カメラにおいて、第１の動画像に重畳される第２の動画像は、予め表示態様が設定されているものであったため、第１の動画像における時系列的な変化に応じた動画効果を演出することができなかった。
【０００５】
本発明は、上記実情に鑑みてなされたものであり、その目的は、動画像における時系列的な変化態様に応じた動画効果を演出することが可能な画像処理装置、電子カメラ、及び画像処理プログラムを提供することにある。
【課題を解決するための手段】
【０００６】
上記目的を達成するために、本発明の画像処理装置は、第１の動画像に対して第２の動画像を重畳して表示可能に構成された画像処理装置において、前記第１の動画像における時系列的な変化態様を解析した解析情報を取得する取得手段と、前記取得手段によって取得された前記解析情報に応じて表示態様を変化させる動画像を前記第２の動画像として生成する動画像生成手段とを備えている。
【０００７】
また、上記画像処理装置は、前記第１の動画像の動画像データを記憶する記憶手段をさらに有し、前記取得手段は、前記記憶手段に記憶された前記第１の動画像の動画像データに基づいて当該第１の動画像の前記変化態様を解析して前記解析情報を取得する。
【０００８】
また、上記画像処理装置は、前記解析情報が前記第１の動画像に関する複数の情報で構成され、前記解析情報の中から少なくとも１つの情報を選択する選択手段をさらに有し、前記動画像生成手段は、前記選択手段が選択した情報に応じた表示態様の動画像を前記第２の動画像として生成する。
【０００９】
また、上記画像処理装置は、前記複数の情報に優先度を設定する優先度設定手段をさらに有し、前記選択手段は、前記優先度設定手段で設定された優先度に基づいて前記少なくとも１つの情報を選択する。
【００１０】
また、上記画像処理装置において、前記解析情報は、前記第１の動画像における特徴部の位置情報を含み、前記動画像生成手段は、前記位置情報に基づいて前記特徴部を追尾させた表示態様の動画像を前記第２の動画像として生成する。
【００１１】
また、上記画像処理装置において、前記解析情報は、前記第１の動画像の撮影シーンを判定した撮影シーン判定情報と、当該第１の動画像における特徴部の位置情報とを含み、前記動画像生成手段は、前記撮影シーン判定情報と前記位置情報とに応じた表示態様の動画像を前記第２の動画像として生成する。
【００１２】
また、上記画像処理装置において、前記解析情報は、前記第１の動画像の撮像開始日時と動画記録時間とを関連付けた時間情報を含み、前記動画像生成手段は、前記時間情報に応じて表示のタイミングが設定された表示態様の動画像を前記第２の動画像として生成する。
【００１３】
また、上記画像処理装置において、前記解析情報は、前記第１の動画像を構成する各フレームのフォーカス位置を示したフォーカス位置情報を含み、前記動画像生成手段は、前記フォーカス位置情報に基づいて前記フォーカス位置を追尾させた表示態様の動画像を前記第２の動画像として生成する。
【００１４】
また、上記画像処理装置において、前記解析情報は、前記第１の動画像における人物の動作に関する情報である動作情報を含み、前記動画像生成手段は、前記動作情報に応じた表示態様の動画像を前記第２の動画像として生成する。
【００１５】
また、上記画像処理装置において、前記解析情報は、前記第１の動画像を撮像した撮像手段の傾きに関する情報である傾斜情報を含み、前記動画像生成手段は、前記傾斜情報に応じた表示態様の動画像を前記第２の動画像として生成する。
【００１６】
また、上記画像処理装置において、前記解析情報は、前記第１の動画像における音声に関する音声情報を含み、前記動画像生成手段は、前記音声情報に応じて表示のタイミングが設定された表示態様の動画像を前記第２の動画像として生成する。
【００１７】
また、本発明の電子カメラは、第１の動画像を撮像可能な撮像手段と、上述した画像処理装置とを備えている。
また、本発明の画像処理プログラムは、第１の動画像に対して第２の動画像を重畳して表示可能に構成された画像処理装置に用いられる画像処理プログラムにおいて、前記画像処理装置に、前記第１の動画像における時系列的な変化態様を解析した解析情報を取得させる取得ステップと、前記取得ステップにおいて取得された前記解析情報に応じて表示態様を変化させる動画像を前記第２の動画像として生成させる動画像生成ステップとを実行させる。
【発明の効果】
【００１８】
本発明によれば、動画像における時系列的な変化態様に応じた動画効果を演出することが可能になる。
【図面の簡単な説明】
【００１９】
【図１】デジタルビデオカメラの回路構成を示すブロック図。
【図２】動画像演出処理ルーチンのフローチャート。
【図３】エフェクト動画像生成処理ルーチンのフローチャート。
【図４】（ａ）は実施例１においてモニタ上に特徴部が配置されたときを模式的に示す図、（ｂ）〜（ｄ）は実施例１において特徴部を演出体が追尾する演出を模式的に示す図。
【図５】（ａ）〜（ｄ）は、実施例２において撮像シーン判定情報と特徴部の位置情報とに基づいた演出を模式的に示す図。
【図６】（ａ）〜（ｃ）は、実施例３において撮像シーン判定情報と特徴部の位置情報とに基づいた演出を模式的に示す図。
【図７】（ａ）〜（ｄ）は、実施例４において時間情報に基づいた演出を模式的に示す図。
【図８】（ａ）（ｂ）は、実施例５においてフォーカス位置情報に基づいた演出を模式的に示す図。
【図９】（ａ）〜（ｃ）は、実施例６において人物の動作情報に基づいた演出を模式的に示す図。
【図１０】（ａ）〜（ｃ）は、実施例７において撮像手段の傾斜情報に基づいた演出を模式的に示す図。
【図１１】（ａ）〜（ｃ）は、実施例８において音声情報に基づいた演出を模式的に示す図。
【発明を実施するための形態】
【００２０】
以下、本発明にかかる画像処理装置を電子カメラとしてのデジタルビデオカメラ（以下、「カメラ」という。）に具体化した一実施形態について図１〜図１１に基づいて説明する。
【００２１】
図１に示されるように、カメラ１１は、ズームレンズなどの複数のレンズからなるレンズ部１２（図１では図面の簡略化のため１つのレンズのみ図示）と、レンズ部１２を通過した被写体光をレンズ部１２の像空間側において結像させる撮像素子１３をカメラ本体（図示略）内に有している。
【００２２】
撮像素子１３は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ、又はＣＣＤ（Ｃｈａｒｇｅ  Ｃｏｕｐｌｅｄ  Ｄｅｖｉｃｅ）イメージセンサからなり、その入射側となる撮像面には多数の受光素子（図示略）が二次元的に配列されている。そして、撮像素子１３は、その撮像面に結像した被写体像に対応した信号電荷を蓄積し、その蓄積した信号電荷を画像データの元となる画素信号と呼ばれるアナログ信号でＡＦＥ（Ａｎａｌｏｇ  Ｆｒｏｎｔ  Ｅｎｄ）１４に出力する。
【００２３】
ＡＦＥ１４は、撮像素子１３から入力したアナログ信号の画素信号を所定のタイミングでサンプリング（相関二重サンプリング）し、例えばＩＳＯ感度に基づく所定信号レベルとなるように増幅する信号処理部（図示略）と、その増幅後の画素信号をデジタル信号に変換するＡ／Ｄ変換部（図示略）を有している。そして、ＡＦＥ１４は、アナログ信号の画素信号をＡ／Ｄ変換部でデジタル化することにより生成した画像データを所定のフレームレートで画像処理部１５に出力する。
【００２４】
画像処理部１５は、ＡＦＥ１４から入力された画像データに対して、例えば色補間処理、階調補正、ホワイトバランス処理及び輪郭補償等の各種の画像処理を施し、不揮発性メモリ１６に記憶された各種制御プログラムに基づきカメラ１１の各種動作を統括的に制御するＭＰＵ１７に出力する。ＭＰＵ１７は、カメラ本体に内蔵された不図示の自動露出装置（ＡＥ装置）、自動合焦装置（ＡＦ装置）及びシャッタ制御装置等と接続されており、これらの各装置を制御することにより、自動露出制御（ＡＥ制御）、自動合焦制御（ＡＦ制御）及びシャッタ制御などを行う。そして、ＭＰＵ１７は、画像処理部１５から入力された画像データを、バッファメモリとして機能するＲＡＭ１８に一旦記憶させるとともに、その画像データに対応した画像を液晶表示のモニタ２０にスルー画像として表示させる
。
【００２５】
また、カメラ１１は、音声を録音するためのマイク２１をカメラ本体内に有している。マイク２１は、検出した音声信号（アナログ信号）を音声処理部２２に出力する。音声処理部２２は、入力された音声信号をデジタル信号に変換するＡ／Ｄ変換部（図示略）を有している。そして、音声処理部２２は、アナログ信号の音声信号をＡ／Ｄ変換器でデジタル化することにより生成した音声データをＭＰＵ１７に出力する。ＭＰＵ１７は、その音声データをＲＡＭ１８に一旦記憶させる。なお、ＭＰＵ１７には、画像処理部１５からの上記画像データと音声処理部２２からの上記音声データとが同期したタイミングで入力される。
【００２６】
さらに、カメラ１１は、音声を出力するためのスピーカ２３をカメラ本体内に有している。ＭＰＵ１７は、後述する再生動画像ファイルの再生時における音声をスピーカ２３から出力する。またカメラ本体には、そのカメラ１１の使用者により操作されるモード切り替えボタン、レリーズボタン、録画開始ボタン、録画停止ボタン、セレクトボタン（十字キー）、決定ボタン等からなる操作部２５がＭＰＵ１７との間でデータ通信可能に設けられている。
【００２７】
操作部２５に設けられた各種のボタンのうち、モード切り替えボタンは、カメラ１１の動作モードを例えば撮影モード、再生モード、動画像演出モードの間で切り替える場合に操作される。レリーズボタンは、撮像モードにおいて被写体の静止画を撮影するときに押し下げ操作される。録画開始ボタンは、撮像モードにおいて動画像の撮像を開始するときに操作される。録画停止ボタンは、撮像モードにおいて動画像の撮像を停止するときに操作される。セレクトボタンは、再生表示するファイルを選択する場合や、動画像演出における演出内容を選択する場合等に操作される。そして、決定ボタンは、例えば再生対象となるファイルを決定する場合に操作される。
【００２８】
そして、ＭＰＵ１７は、上記レリーズボタンが全押し操作されると、その画像データに対して例えばＪＰＥＧ（Ｊｏｉｎｔ  Ｐｈｏｔｏｇｒａｐｈｉｃ  Ｅｘｐｅｒｔｓ  Ｇｒｏｕｐ）圧縮のためのフォーマット処理等の所定の画像処理を施したファイルを、記録媒体であるメモリカード２７を挿脱可能なカードＩ／Ｆ（Ｉｎｔｅｒ−Ｆａｃｅ）２６を介してメモリカード２７に静止画像ファイルとして記録するとともに、そのときの画像データに対応する画像を確認用画像としてモニタ２０に表示させる。
【００２９】
またＭＰＵ１７は、上記録画開始ボタンが操作されると、録画停止ボタンが操作されるまでの間、画像処理部１５から入力される画像データと音声処理部２２から入力される音声データとに基づいて動画像データを生成する。そして、ＭＰＵ１７は、その動画像データに対して例えばＭＰＥＧ（Ｍｏｖｉｎｇ  Ｐｉｃｔｕｒｅ  Ｅｘｐｅｒｔｓ  Ｇｒｏｕｐ）圧縮のためのフォーマット処理等の所定の画像処理を施したファイルを、再生動画像ファイルとしてメモリカード２７に記録する。本実施形態では、この再生動画像ファイルに含まれて記録される動画像データに対応した動画像が第１の動画像に相当する。
【００３０】
また、ＭＰＵ１７には、計時部２８が内蔵されている。計時部２８は、現在の時刻を計時する時計機能と動画像撮像開始時点からの動画像の撮像時間を計時する撮影時間計時機能とを有している。ＭＰＵ１７は、静止画ファイルを生成する際、計時部２８が計時する時刻に基づく撮像時刻を静止画ファイルの所定領域に時間情報として格納する。またＭＰＵ１７は、再生動画像ファイルを生成する際、計時部２８が計時する時刻に基づく撮像開始時刻と、各フレームに対する撮像開始時刻からの経過時間とを当該再生動画像ファイルの所定領域に時間情報として格納する。
【００３１】
次に、カメラ１１が有する再生機能について説明する。このカメラ１１は、静止画像ファイル及び再生動画像ファイルに関する通常の再生機能である再生モードに加えて、動画像演出モードを有している。動画像演出モードは、再生動画像ファイルの動画像に対してその時系列的な変化に応じた動画効果を演出するための動画像であるエフェクト動画像を、当該再生動画像ファイルの動画像に重畳させてモニタ２０に表示する再生機能である。本実施形態では、このエフェクト動画像となる動画像が第１の動画像に重畳して表示される第２の動画像に相当する。
【００３２】
こうしたエフェクト動画像は、ＭＰＵ１７に内蔵されたエフェクト動画像生成部３０によって、不揮発性メモリ１６に予め記憶された画像処理プログラムに基づいて生成される。なお、この画像処理プログラムには、後述するエフェクト動画像生成処理を実行する際に用いる演出体データが含まれている。そして、エフェクト動画像生成部３０は、再生動画像ファイルを解析した解析情報に基づいて、アイコンやスタンプ、キャラクター（以下、演出体という）などを用いたエフェクト動画像を生成する。
【００３３】
図１に示されるように、エフェクト動画像生成部３０は、不揮発性メモリ１６に予め記憶された画像処理プログラムに基づいて再生動画像ファイルを解析し、当該再生動画像ファイルにおける動画像（第１の動画像）の時系列的な変化に基づく解析情報を取得する解析情報取得部３１を有している。解析情報取得部３１は、解析情報として、例えば、各フレームにおける特徴部の位置を示す情報である位置情報、撮像対象や撮像時における周辺の雰囲気などの撮影シーンを判定した情報である撮影シーン判定情報、撮影開始日時と撮影時間とに関する情報である時間情報などを取得する。また解析情報取得部３１は、解析情報として、各フレームのフォーカス位置を示すフォーカス位置情報、人物の動作に関する情報である動作情報、各フレームにおけるカメラ１１の傾きに関する情報である傾斜情報、再生動画像ファイルにおける音声に関する情報である音声情報などを取得する。エフェクト動画像生成部３０は、解析情報取得部３１によって解析された解析情報を示す解析データを、その解析データを識別するために当該解析データに対応する再生動画像ファイルに関する情報を関連付けたうえで、不揮発性メモリ１６あるいはメモリカード２７等に記録する。
【００３４】
また、エフェクト動画像生成部３０は、エフェクト動画像を生成する際に用いられる解析情報を選択する解析情報選択部３２を有している。解析情報選択部３２は、解析情報がユーザによって選択される場合、解析情報取得部３１が取得した解析情報をモニタ２０に表示させ、ユーザによる操作部２５の操作に基づいて解析情報を選択する。その一方、解析情報選択部３２は、解析情報が自動で選択される場合、例えば不揮発性メモリ１６に記憶された画像処理プログラムに基づいて解析情報を自動的に選択する。
【００３５】
また、エフェクト動画像生成部３０は、解析情報取得部３１によって取得された解析情報に優先度を設定する優先度設定部３３を有している。優先度設定部３３は、解析情報選択部３２による解析情報の選択が自動で実行される場合に解析情報の優先度を設定する。そして、優先度設定部３３は、不揮発性メモリ１６に記憶された画像処理プログラムに基づいて、各解析情報に関する時系列的な変化を把握し、その把握した変化に応じて各種解析情報の重要度を判断することによって解析情報の優先度を設定する。すなわち解析情報選択部３２は、優先度設定部３３が設定した優先度に基づいて解析情報を選択する。
【００３６】
以上のようなエフェクト動画像生成部３０は、解析情報がユーザによって選択される場合、予めデザインされた各種演出体が格納された演出体データに基づいて、各種演出体をモニタ２０に表示させる。ユーザは、操作部２５を操作することによって、それら演出体の中から好みの演出体を選択する。演出体が選択されるとエフェクト動画像生成部３０は、モニタ２０に再生動画像ファイルを構成するフレームを表示する。ユーザは、操作部２
５を操作することによって、演出体を表示させるフレームを選択し、そのフレームの任意の位置に演出体を配置する。エフェクト動画像生成部３０は、こうした演出体の配置と選択される解析情報とに基づいてエフェクト動画像（第２の動画像）を生成する。一方、解析情報の優先度が優先度設定部３３によって自動で設定される場合、エフェクト動画像生成部３０は、優先度設定部３３によって設定される優先度に基づいて選択される解析情報と、その選択された解析情報に適した演出体とを用いてエフェクト動画像を生成する。
【００３７】
次に、動画像演出モードにおいてＭＰＵ１７が実行する動画像演出処理ルーチンについて図２を参照して説明する。この動画像演出処理ルーチンは、カメラ１１における電源ボタン（図示略）がＯＮ操作された状態で操作部２５のモード切り替えボタンが動画像演出モードに切り替えられると開始される。
【００３８】
図２に示されるように、カメラ１１のモードが動画像演出モードに切り替えられると、ＭＰＵ１７は、まずステップＳ１００において、メモリカード２７に記憶されている再生動画像ファイルを読み出し、読み出した再生動画像ファイルにおける最初のフレームの画像データに対応した動画像をモニタ２０に表示させる。なお、この際、メモリカード２７から読み出される再生動画像ファイルは、例えばメモリカード２７に最新で記録されたファイルを自動的に読み出してもよく、又は、ユーザがセレクトボタンによってモニタ２０に表示される再生動画像ファイル一覧の中から選択したファイルを読み出すようにしてもよい。
【００３９】
そして、次のステップＳ２００において、ＭＰＵ１７は、動画像演出処理の対象となる再生動画像ファイルが決定されたか否かを判定する。具体的には、ＭＰＵ１７は、操作部２５の決定ボタンが押圧されたか否かに基づき、動画像演出処理の対象となる再生動画像ファイルが決定されたか否かを判定する。そして、まだ決定されていない（ステップＳ２００：ＮＯ）と判定した場合には、決定されるまで本ステップＳ２００の処理を周期的に繰り返す。その一方、動画像演出処理の対象となる画像が決定された（ステップＳ２００：ＹＥＳ）と判定した場合には、ＭＰＵ１７は、その処理をステップＳ３００に移行する。
【００４０】
次のステップＳ３００において、ＭＰＵ１７は、その時点でメモリカード２７から読み出されている再生動画像ファイルに対して図３に示すエフェクト動画像生成処理ルーチンを実行する。そして、このステップＳ１３において生成されたエフェクト再生動画像ファイルをバッファメモリとしてのＲＡＭ１８に一時的に記録した後、ＭＰＵ１７は、その処理をステップＳ１４に移行する。
【００４１】
次のステップＳ４００において、ＭＰＵ１７は、ステップＳ２００において動画像演出処理の対象として決定された再生動画像ファイルをメモリカード２７から読み出し、その再生動画像ファイルに保存されている動画像データ、すなわち第１の動画像の画像データをモニタ２０に出力する。また、ＭＰＵ１７は、ステップＳ３００において生成されたエフェクト動画像ファイルをＲＡＭ１８から読み出し、そのエフェクト動画像ファイルに保存されている動画像データ、すなわち第２の動画像の画像データをモニタ２０に出力する。その結果、モニタ２０には、エフェクト動画像（第２の動画像）が再生表示中の動画像（第１の動画像）に重畳して表示される。
【００４２】
次に、ステップＳ３００で実行されるエフェクト動画像生成処理ルーチンについて図３を参照して説明する。
図３に示されるように、まずステップＳ３０１において、ＭＰＵ１７は、ステップＳ２００で選択された再生動画像ファイルが既に解析済みであるか否かを判定する。この判定に際しては、メモリカード２７や不揮発性メモリ１６に当該再生動画像ファイルの解析情
報を示す解析データが記録されているか否かの判定がなされる。そして、再生動画像ファイルは解析済みでない（ステップＳ３０１：ＮＯ）と判定した場合、ＭＰＵ１７は、その処理をステップＳ３０２に移行し、エフェクト動画像生成部３０の解析情報取得部３１が、その再生動画像ファイルを解析して上述した解析情報を取得する（取得ステップ）。
【００４３】
そして、このステップＳ３０２における特徴部の位置情報や撮影シーン判定情報などの解析情報の取得を経て、ＭＰＵ１７は、次のステップＳ３０３の処理に移行する。その一方、先のステップＳ３０１において、再生動画像ファイルは解析済みである（ステップＳ３０１：ＹＥＳ）と判定した場合、ＭＰＵ１７は、そのままステップＳ３０１の処理からステップＳ３０３の処理に移行する。
【００４４】
次のステップＳ３０３において、ＭＰＵ１７は、エフェクト動画像の生成のために用いる演出体及び解析情報をユーザ自身で選択するか否かを判定する。具体的には、演出体等の選択をユーザ自身が手動で行なうのか、それとも画像処理装置が自動で行なうのかを選択させるための選択画像をモニタ２０に表示させる。ユーザは、モニタ２０に表示された選択画像を見ながら、セレクトボタンを操作してエフェクト動画像生成のための演出体等を自身で選択するのか画像処理装置が自動で選択するのか何れか一方を示すチェックボックスにチェツクマークを入れる等した後、選択画像内に表示された決定ボタンのタッチ操作によってその選択を確定させる。
【００４５】
そして、エフェクト動画像生成のための演出体等をユーザ自身で選択する（ステップＳ３０３：ＹＥＳ）という判定結果になった場合、ＭＰＵ１７は、その処理を次のステップＳ３０４に移行し、モニタ２０に選択候補となる各種演出体を一覧表示させる。その結果、ユーザは操作部２５の操作によってユーザの好みのデザインを有する演出体を選択可能となる。そして次のステップＳ３０５において、ＭＰＵ１７は、モニタ２０上に一覧表示された各種演出体のうち何れかの演出体がユーザにより選択されたか否かを、その判定結果が肯定判定（Ｓ３０５：ＹＥＳ）となるまで周期的に判定する。
【００４６】
そして、その判定結果が肯定判定（Ｓ３０５：ＹＥＳ）になると、ＭＰＵ１７は、次のステップＳ３０６において、先のステップＳ１００でモニタ２０に表示した再生動画像ファイルにおける最初のフレームと同じフレームを、そのフレーム内での演出体の初期位置をユーザが操作部２５の操作によって設定可能に、モニタ２０上に表示させる。そして、次のステップＳ３０７において、ＭＰＵ１７は、ユーザによる演出体の初期位置の設定が終わったか否かを、その判定結果が肯定判定（Ｓ３０７：ＹＥＳ）となるまで周期的に判定する。
【００４７】
そして、その判定結果が肯定判定（Ｓ３０７：ＹＥＳ）になると、ＭＰＵ１７は、次のステップＳ３０８において、モニタ２０に選択候補となる各種解析情報を一覧表示させる。その結果、ユーザは操作部２５の操作によってユーザの好みの動画表示態様をもたらす解析情報を選択可能となる。そして次のステップＳ３０９において、ＭＰＵ１７は、モニタ２０上に一覧表示された各種解析情報のうち何れかの解析情報がユーザにより選択されたか否かを、その判定結果が肯定判定（Ｓ３０９：ＹＥＳ）となるまで周期的に判定する。
【００４８】
一方、先のステップＳ３０３の判定結果が否定判定（ステップＳ３０３：ＮＯ）、すなわち、エフェクト動画像生成のための演出体等を画像処理装置が自動で選択するという判定結果になった場合、ＭＰＵ１７は、その処理をステップＳ３１０に移行する。そして、このステップＳ３１０では、ＭＰＵ１７におけるエフェクト動画像生成部３０の優先度設定部が各解析情報に対する優先度を自動的に設定する。その後、次のステップＳ３１１において、ＭＰＵ１７は、エフェクト動画像生成部３０の優先度設定部３３がステップＳ３
１０において設定した解析情報の優先度に基づいて、エフェクト動画像を生成する際に用いられる演出体及び解析情報を自動的に選択した後、その処理をステップＳ３１２に移行する。
【００４９】
すると、次のステップＳ３１２において、ＭＰＵ１７は、上記選択された演出体及び解析情報に基づいて、第２の動画像となるエフェクト動画像の動画像データを有するエフェクト動画像ファイルを生成する（動画像生成ステップ）。そして、次のステップＳ３１３において、ＭＰＵ１７は、その生成されたエフェクト動画像ファイルをＲＡＭ１８に一時的に記憶させる。こうしてＲＡＭ１８に記憶されたエフェクト動画像ファイルにおける動画像データの動画像（第２の動画像）は、ステップＳ４００において再生動画像ファイルにおける動画像データの動画像（第１の動画像）に重畳して表示される。
【００５０】
以上説明したように、本実施形態によれば以下に示す効果を得ることができる。
（１）再生動画像ファイルの動画像（第１の動画像）における表示内容の時系列的な変化を示す解析情報に基づいて、その動画像に重畳表示させるエフェクト動画像（第２の動画像）が生成されることから、再生表示される動画像に対して時系列的な変化に応じた動画効果を演出することができる。
【００５１】
（２）エフェクト動画像生成部３０の解析情報取得部３１は、カードＩ／Ｆ２６を介して挿入可能なメモリカード２７に記録されている再生動画像ファイルを解析してエフェクト動画像の生成のために用いる解析情報を取得する。こうした構成によれば、たとえカメラ１１とは異なる撮像手段によって撮像された再生動画像ファイルに対してもエフェクト動画像を生成することができる。
【００５２】
（３）解析情報取得部３１は、再生動画像ファイルに関する複数の解析情報を取得する。したがって、複数の解析情報のうちから所望の解析情報を選択することにより、再生動画像ファイルの動画像に対して多彩な演出を行うことが可能となる。
【００５３】
（４）エフェクト動画像に用いられる演出体及び解析情報がユーザにより選択される場合には、ユーザの意向に沿ったエフェクト動画像を生成することができる。
（５）優先度設定部３３により解析情報の優先度が設定されることによって、再生動画像ファイルの表示内容に応じた解析情報が選択されたエフェクト動画像を自動的に生成することができる。
【００５４】
次に、上述した動画像演出処理について具体的な実施例を挙げて説明する。なお、以下の実施例においては、解析情報取得部３１による再生動画像ファイルの解析情報が取得されているものとする。また、図４〜図１１は、モニタ２０に表示されている実際の画像であって、再生動画像ファイルとエフェクト動画像とが重畳しているものである。
［実施例１］
図４（ａ）〜（ｄ）に示されるように、実施例１の再生動画像ファイルに保存された動画像データと対応する動画像（第１の動画像）は、モニタ２０の左右方向に延びる道路４０を走者４１が右から左に走り抜けるという動画像である。以下、この再生動画像ファイルの動画像に重畳表示させるエフェクト動画像（第２の動画像）を生成するために用いる演出体及び解析情報をユーザ自身が選択する場合（ステップＳ３０３：ＹＥＳ）について説明する。
【００５５】
さて、図４（ａ）に示されるように、この実施例１では、再生動画像ファイルに関連するエフェクト動画像を生成するにあたり、ユーザは、演出体として音符４２を選択するとともに、その音符４２に追随させる再生動画像中の特徴部である走者４１の時系列的な位置情報を解析情報として選択する（ステップＳ３０４、ステップＳ３０５、ステップＳ３
０８、ステップＳ３０９）。そして、操作部２５を操作して、その音符４２の初期位置を再生動画像における走者４１の膝辺りに重畳するように設定している（ステップＳ３０６、Ｓ３０７）。
【００５６】
すると、図４（ｂ）〜（ｄ）に示されるように、時系列的に表示内容が変化する各フレームにおける走者４１の位置情報に基づいて、所定期間毎のフレーム内における走者４１の移動位置に音符４２が順次に配置されるようにしたエフェクト動画像が生成される。すなわち、走者４１がモニタ２０内を移動することによって該走者４１を音符４２が追尾する演出のエフェクト動画像が生成される。また、走者４１の位置情報に基づいてエフェクト動画像が生成されることから、走者４１がモニタ２０内の一つの位置に止まることによって該走者４１の位置に音符４２が固定される演出のエフェクト動画像が生成される。
実施例１のような構成によれば、以下に示すような効果を得ることができる。
（６）走者４１という特徴部の位置の変化に応じて、当該走者４１を演出体である音符４２で追尾させた表示態様のエフェクト動画像を生成することができる。
【００５７】
［実施例２］
図５（ａ）〜（ｄ）に示されるように、実施例２の再生動画像ファイルに保存された動画像データと対応する動画像（第１の動画像）は、モニタ２０の左側にいる男性５１と、モニタ２０の右側にいる女性５２とが徐々に近づく動画像である。この動画像に重畳表示させるエフェクト動画像（第２の動画像）を生成するために用いる演出体及び解析情報を画像処理装置が自動で選択する場合（ステップＳ３０３：ＮＯ）について説明する。
【００５８】
さて、図５（ａ）に示されるように、この実施例２では、再生動画像ファイルに関連するエフェクト動画像を生成するにあたり、ＭＰＵ１７におけるエフェクト動画像生成部３０の優先度設定部３３は、解析情報取得部３１によって取得された解析情報に基づいて、撮像対象が男性５１と女性５２であるという撮像シーン判定情報と、男性５１と女性５２とが徐々に近づくという特徴部の位置情報とが重要であると判断する。すなわち、優先度設定部３３は、撮像シーン判定情報と特徴部の位置情報とに高い優先度を設定する（ステップＳ３１０）。
【００５９】
解析情報選択部３２は、優先度設定部３３によって設定された優先度に基づいて、解析情報として撮像シーン判定情報及び特徴部の位置情報を選択し、これらの解析情報に基づく演出体としてハートマーク５３を選択する（ステップＳ３１１）。
【００６０】
そして、エフェクト動画像生成部３０は、各フレームにおける男性５１及び女性５２の位置情報に基づいて、所定期間毎のフレームに対して男性５１と女性５２との距離に応じて演出体として選択したハートマーク５３が増減される演出のエフェクト動画像を生成する。
実施例２のような構成によれば、以下に示すような効果を得ることができる。
（７）撮像対象が男性５１と女性５２であるという撮像シーンと、その特徴部である男性５１と女性５２の相対位置の変化とに基づいた表示態様のエフェクト動画像を生成することができる。
【００６１】
［実施例３］
図６（ａ）〜（ｃ）に示されるように、実施例３の再生動画像ファイルに保存された動画像データと対応する動画像（第１の動画像）は、モニタ２０の右下から左上にかけて延びる舗装道路６１を１台の自動車６２が夜間に走り抜けるという動画像である。この動画像に重畳表示させるエフェクト動画像（第２の動画像）を生成するために用いる演出体及び解析情報を画像処理装置が自動で選択する場合（ステップＳ３０３：ＮＯ）について説明する。
【００６２】
さて、図６（ａ）に示されるように、この実施例３では、再生動画像ファイルに関連するエフェクト動画像を生成するにあたり、ＭＰＵ１７におけるエフェクト動画像生成部３０の優先度設定部３３は、解析情報取得部３１によって取得された解析情報に基づいて、撮像対象が夜景であるという撮像シーン判定情報と、自動車６２のテールランプ６３という特徴部の位置情報とが重要であると判断する。すなわち、優先度設定部３３は、撮像シーン判定情報と特徴部の位置情報とに高い優先度を設定する（ステップＳ３１０）。
【００６３】
解析情報選択部３２は、優先度設定部３３によって設定された優先度に基づいて、解析情報として撮像シーン判定情報及び特徴部の位置情報を選択し、これらの解析情報に基づく演出体としてテールランプ６３の残像を選択する（ステップＳ３１１）。
【００６４】
そして、エフェクト動画像生成部３０は、各フレームにおける自動車６２のテールランプ６３の位置情報に基づいて、図６（ｂ）（ｃ）に示されるように、各フレームの各々に対してテールランプ６３の残像６４が示される演出のエフェクト動画像を生成する。
【００６５】
実施例３のような構成によれば、以下に示すような効果を得ることができる。
（８）夜景であるという撮像シーンと、その撮像シーン（夜景）における特有の特徴部である自動車６２のテールランプ６３に関する位置の変化とに基づいた表示態様のエフェクト動画像を生成することができる。
なお、撮像シーンにおける特有の特徴に基づいて生成されるエフェクト動画像としては、例えばカメラ１１の撮像方向が変更されることによって逆光になったときに、まぶしい表情を有するキャラクターが登場する表示態様のエフェクト動画像が考えられる。
【００６６】
［実施例４］
図７（ａ）〜（ｃ）に示されるように、実施例４の再生動画像ファイルに保存された動画像データと対応する動画像（第１の動画像）は、１２月３１日から１月１日にかけて撮像された動画像である。すなわち、実施例４の再生動画像ファイルは、その撮像時刻に特徴を有している。実施例４では、この動画像に重畳表示させるエフェクト動画像（第２の動画像）を生成するために用いる演出体及び解析情報を画像処理装置が自動で選択する場合（ステップＳ３０３：ＮＯ）について説明する。なお、図７に記載した日時は、時間情報から得られる時刻を示したものであり、時間情報そのものを示すものではない。
【００６７】
さて、この再生動画像ファイルに関連するエフェクト動画像を生成するにあたり、ＭＰＵ１７におけるエフェクト動画像生成部３０の優先度設定部３３は、解析情報取得部３１によって取得された解析情報に基づいて、撮影開始日時と撮影時間とに関する情報である時間情報が重要であると判断する。すなわち、優先度設定部３３は、時間情報に高い優先度を設定する（ステップＳ３１０）。
【００６８】
そして、解析情報選択部３２は、優先度設定部３３によって設定された優先度に基づいて、解析情報として時間情報を選択し、その解析情報に基づく演出体として「Ａ  ＨＡＰＰＹ  ＮＥＷ  ＹＥＡＲ」という文字列７１と、鏡餅７２、門松７３を選択する（ステップＳ３１１）。
【００６９】
そして、エフェクト動画像生成部３０は、図７（ａ）〜（ｃ）に示されるように、時間情報に基づいて各演出体が表示されるフレームと各演出体が非表示となるフレームとが設定されたエフェクト動画像を生成する。すなわち、エフェクト動画像生成部３０は、時間情報に応じて表示のタイミングが設定されたエフェクト動画像を生成する。
【００７０】
実施例４のような構成によれば、以下に示すような効果を得ることができる。
（９）撮像時における時間経過に応じたタイミングで演出体が表示されるエフェクト動画像を生成することができる。
なお、こうして時間情報に基づいて生成されるエフェクト動画像としては、例えば早朝５時であれば演出体として眠そうなキャラクター、正午であれば演出体としてお昼ご飯、午後３時であれば演出体としておやつなどを用いたエフェクト動画像が挙げられる。
【００７１】
［実施例５］
図８（ａ）（ｂ）に示されるように、実施例５の再生動画像ファイルに保存された動画像データと対応する動画像（第１の動画像）は、撮像位置に対して相対的に遠くに位置している花８１と、相対的に近くに位置している花８２とが撮像され、時間の経過とともにフォーカス位置８３が花８１から花８２に変更される態様の動画像である。すなわち、実施例５の再生動画像ファイルは、時間の経過に対するフォーカス位置８３の変化に特徴を有している。実施例５では、この動画像に重畳表示させるエフェクト動画像（第２の動画像）を生成するために用いる演出体及び解析情報を画像処理装置が自動で選択する場合（ステップＳ３０３：ＮＯ）について説明する。
【００７２】
さて、この再生動画像ファイルに関連するエフェクト動画像を生成するにあたり、ＭＰＵ１７におけるエフェクト動画像生成部３０の優先度設定部３３は、解析情報取得部３１によって取得された解析情報に基づいて、各フレームのフォーカス位置８３を示すフォーカス位置情報と撮像対象が花８１，８２であると判定された撮影シーン判定情報とが重要であると判断する。すなわち、優先度設定部３３は、フォーカス位置情報と撮影シーン判定情報とに高い優先度を設定する（ステップＳ３１０）。なお、フォーカス位置は、各フレームにおいてコントラストが最大になっている箇所に設定される。
【００７３】
解析情報選択部３２は、優先度設定部３３によって設定された優先度に基づいて、解析情報としてフォーカス位置情報及び撮影シーン判定情報を選択し、これらの解析情報に基づく演出体として蝶８４を選択する（ステップＳ３１１）。
【００７４】
そして、エフェクト動画像生成部３０は、図８（ａ）（ｂ）に示されるように、フォーカス位置８３が相対的に遠い位置にある花８１から相対的に近い位置にある花８２に変更されるに従って、蝶８４の表示位置を花８１周辺から花８２周辺に変化させる表示態様のエフェクト動画像を生成する。
実施例５のような構成によれば、以下に示すような効果を得ることができる。
（１０）フォーカス位置８３に応じた表示態様のエフェクト動画像を生成することができる。しかも、フォーカス位置情報に撮影シーン判定情報を組み合わせることによって、フォーカス位置８３に表示されている撮像対象に応じた演出体を選択することもできる。
【００７５】
［実施例６］
図９（ａ）〜（ｃ）に示されるように、実施例６の再生動画像ファイルに保存された動画像データと対応する動画像（第１の動画像）は、子供９１の表情が泣き顔、無表情、笑顔という順で変化する態様の動画像である。すなわち、実施例６の再生動画像ファイルは、撮像対象である人物（子供９１）に関する動作（表情）の変化に特徴を有している。実施例６では、この動画像に重畳表示させるエフェクト動画像（第２の動画像）を生成するために用いる演出体及び解析情報を画像処理装置が自動で選択する場合（ステップＳ３０３：ＮＯ）について説明する。
【００７６】
さて、この再生動画像ファイルに関連するエフェクト動画像を生成するにあたり、ＭＰＵ１７におけるエフェクト動画像生成部３０の優先度設定部３３は、解析情報取得部３１によって取得された解析情報に基づいて、この再生動画像ファイルでは子供９１の表情の変化が重要であると判定する。すなわち、優先度設定部３３は、人物の動作に関する情報
である動作情報に高い優先度を設定する（ステップＳ３１０）。
【００７７】
解析情報選択部３２は、優先度設定部３３によって設定された優先度に基づいて、解析情報として動作情報を選択し、その解析情報に基づく演出体としてキャラクター９２を選択する（ステップＳ３１１）。
【００７８】
そして、エフェクト動画像生成部３０は、図９（ａ）〜（ｃ）に示されるように、泣き顔→無表情→笑顔の順で変化する子供９１の表情に応じて、泣いているキャラクター９２、無表情のキャラクター９２、喜んでいるキャラクター９２というようにキャラクター９２の動作を変化させた表示態様のエフェクト動画像を生成する。
【００７９】
実施例６のような構成によれば、以下に示すような効果を得ることができる。
（１１）人物の動作情報に基づいてエフェクト動画像を生成することによって、子供９１の表情の変化に応じた表示態様のエフェクト動画像を生成することができる。
なお、こうした人物の動作情報に基づいて生成されるエフェクト動画像としては、例えば、ゴルフ場にいる人物が素振りをした後にその人物の周辺に「ＮＩＣＥ  ＳＨＯＴ」という文字列を表示する態様のエフェクト動画像などが考えられる。
【００８０】
［実施例７］
図１０（ａ）〜（ｃ）に示されるように、実施例７の再生動画像ファイルに保存された動画像データと対応する動画像（第１の動画像）は、モニタ２０の左右方向に沿って延びる道路１０１を走者１０２が右から左に走り抜ける動画像であって、図１０（ｂ）において一時的にカメラ１１が傾いた状態になる態様の動画像である。すなわち、実施例７の再生動画像ファイルは、カメラ１１の傾斜状態に特徴を有している。実施例７では、この動画像に重畳表示させるエフェクト動画像（第２の動画像）を生成するために用いる演出体及び解析情報を画像処理装置が自動で構成される場合（ステップＳ３０３：ＮＯ）について説明する。
【００８１】
さて、この再生動画像ファイルに関連するエフェクト動画像を生成するにあたり、優先度設定部３３は、解析情報取得部３１によって取得された解析情報に基づいて、この再生動画像ファイルではカメラ１１の傾きが一時的に変化することが重要であると判定する。すなわち、優先度設定部３３は、各フレームにおけるカメラ１１の傾きに関する情報である傾斜情報に高い優先度を設定する（ステップＳ３１０）。
【００８２】
なお、このカメラ１１の傾きに関する情報を取得する手段としては次のように構成することが可能である。例えば、水平方向に対するカメラ１１の傾きを検出するとともにその検出信号を所定の周期でＭＰＵ１７に出力する傾斜センサをカメラ本体内に設けることによって、カメラ１１の傾斜情報を取得することが可能である。また例えば、再生動画像ファイルを解析する際に得られる情報、例えば撮像対象に関する情報や各フレームにおける撮像対象の位置や傾きの変化に関する情報等に基づいて、カメラ１１の傾きを判断することによって傾斜情報を取得することも可能である。
【００８３】
解析情報選択部３２は、優先度設定部３３によって設定された優先度に基づいて、解析情報として傾斜情報を選択し、その解析情報に基づく演出体として水が入っているコップ１０３を選択する（ステップＳ３１１）。
【００８４】
そして、エフェクト動画像生成部３０は、図１０（ａ）〜（ｃ）に示されるように、カメラ１１が傾いた図１０（ｂ）においてコップ１０３の水がこぼれるような演出のエフェクト動画像を生成する。
実施例７のような構成によれば、以下に示すような効果を得ることができる。
（１２）カメラ１１の傾斜情報に基づいてエフェクト動画像を生成することによって、カメラ１１の傾きの変化に応じた幼児態様のエフェクト動画像を生成することができる。
【００８５】
［実施例８］
図１１（ａ）〜（ｃ）に示されるように、実施例８の再生動画像ファイルに保存された動画像データと対応する動画像（第１の動画像）は、スタートラインに沿って並んだ児童１１１及び児童１１２が、スターター１１３によるスターターピストルの操作を合図にモニタ２０の左方向へ走り始める態様の動画像である。すなわち、実施例８の再生動画像ファイルは、スターター１１３によるスターターピストルの操作に基づく音声情報に特徴を有している。実施例８では、この動画像に重畳表示させるエフェクト動画像（第２の動画像）を生成するために用いる演出体及び解析情報を画像処理装置が自動で選択する場合（ステップＳ３０３：ＮＯ）について説明する。
【００８６】
さて、この再生動画像ファイルに関連するエフェクト動画像を生成するにあたり、優先度設定部３３は、解析情報取得部３１によって取得された解析情報に基づいて、この再生動画像ファイルではスターターピストルの操作されることを合図に特徴部の位置が変化することが重要であると判定する。すなわち、優先度設定部３３は、再生動画像ファイルにおける音声に関する情報である音声情報と、特徴部である児童１１１及び児童１１２の位置情報とに高い優先度を設定する（ステップＳ３１０）。
【００８７】
解析情報選択部３２は、優先度設定部３３によって設定された優先度に基づいて、解析情報として音声情報及び位置情報を選択し、これらの解析情報に基づく演出体として音符１１４，１１５を選択する（ステップＳ３１１）。
【００８８】
そして、エフェクト動画像生成部３０は、図１１（ａ）〜（ｃ）に示されるように、音声情報に基づいてスターター１１３によるスターターピストルの操作を合図に、位置情報に基づいて児童１１１及び児童１１２が音符１１４，１１５によって追尾される表示態様のエフェクト動画像を生成する。
【００８９】
実施例８のような構成によれば、以下に示すような効果を得ることができる。
（１３）再生動画像ファイルの音声情報に基づいてエフェクト動画像を生成することによって、カメラ１１の音声情報に応じたタイミングで演出体を表示可能なエフェクト動画像を生成することができる。すなわち、再生動画像ファイルの時系列的な音声の変化に応じたタイミングで演出体が表示されるエフェクト動画像を生成することができる。
【００９０】
なお、こうした音声情報に応じて演出体の表示のタイミングが設定されるエフェクト動画像としては、例えばコンサートの終了時における観客の拍手を合図として、手拍子する演出体を表示するエフェクト動画像などが考えられる。
【００９１】
尚、上記実施形態は以下のように変更してもよい。
・解析情報は、再生動画像ファイルにおける時系列的な変化を有する情報であればよく、上記実施形態に例示した解析情報に限られるものではない。
【００９２】
・上記実施形態において、解析情報選択部３２が選択する解析情報は３以上であってもよい。
・上記実施形態において、複数の演出体を有する表示態様のエフェクト動画像が生成されてもよい。なお、複数の演出体が重畳してしまう場合には、例えば優先度設定部３３によって設定された優先度が高い演出体が優先して表示されるようにするとよい。
【００９３】
・上記実施形態のエフェクト動画像生成部３０において、例えば解析情報取得部３１が
取得する解析情報が少数であり、その取得した全ての解析情報に基づいてエフェクト動画像が生成される構成である場合には、優先度設定部３３が割愛される構成であってもよい。こうした構成によれば、エフェクト動画像生成部３０の構成を簡易なものとすることができる。
【００９４】
・上記実施形態のエフェクト動画像生成部３０において、例えば解析情報取得部３１が取得する解析情報が１つであるならば、解析情報選択部３２が割愛される構成であってもよい。こうした構成によれば、エフェクト動画像生成部３０の構成をより簡易なものとすることができる。
【００９５】
・上記実施形態において、解析情報取得部３１は、メモリカード２７に記憶された再生動画像ファイルを解析したが、ＲＡＭ１８に一旦記憶される各フレームの画像データを順次解析することによって解析情報を取得してもよい。こうした構成であれば、撮像中の動画像に対して、解析情報に基づき生成されたエフェクト動画像をリアルタイムで表示させることも可能である。
【００９６】
・上記各実施形態において、エフェクト動画像を生成する画像処理装置として、パーソナルコンピューター等の他の装置を採用してもよい。なお、この場合、エフェクト動画像を生成するための画像処理プログラムは、インターネット回線を通じて装置に転送されるようにしてもよいし、このプログラムを記録したＣＤ等の記録媒体が装置に挿入されるようにしてもよい。
【００９７】
・ここで、上記実施形態において、例えば、再生動画像ファイルＡの解析データＢがメモリカード２７に記憶されている場合、メモリカード２７とは異なるメモリカードに記憶された再生動画像ファイルＡに対してエフェクト動画像生成処理を実行しようとすると、一度解析したことのある再生動画像ファイルＡを再度解析することになってしまう。
【００９８】
これを回避すべく、エフェクト動画像生成部３０は、各再生動画像ファイルの解析データを蓄積するデータベースを有しているとよい。こうした構成によれば、ステップＳ２００で選択された再生動画像ファイルが既に解析済みであるか否かを、データベースを参照することによって判定することができる。その結果、再生動画像ファイルＡを複数回解析することがなくなるため、エフェクト動画像生成処理の処理速度を向上させることができる。
【符号の説明】
【００９９】
１１…カメラ、１２…レンズ部、１３…撮像素子、１４…ＡＦＥ、１５…画像処理部、１６…不揮発性メモリ、１７…ＭＰＵ、１８…ＲＡＭ、２０…モニタ、２１…マイク、２２…音声処理部、２３…スピーカ、２５…操作部、２６…カードＩ／Ｆ、２７…記憶手段としてのメモリカード、２８…計時部、３０…動画像生成手段としてのエフェクト動画像生成部、３１…取得手段としての解析情報取得部、３２…選択手段としての解析情報選択部、３３…優先度設定手段としての優先度設定部、８３…フォーカス位置。
【図１】
2012138763.tif 000003
【図２】
2012138763.tif 000004
【図３】
2012138763.tif 000005
【図４】
2012138763.tif 000006
【図５】
2012138763.tif 000007
【図６】
2012138763.tif 000008
【図７】
2012138763.tif 000009
【図８】
2012138763.tif 000010
【図９】
2012138763.tif 000011
【図１０】
2012138763.tif 000012
【図１１】
2012138763.tif 000013